Podtech/llm-jp-corpus-v4-ja_patent huggingface dataset:
(57)【要約】【課題】小紋のような細かい模様を、凸凹があって厚手のデニム地に、デニム地本来の風合いを保ちつつ鮮明に描出することを可能にした、デニム地への繊細模様描出方法を提供することを課題とする。【解決手段】適宜模様を表現した型紙をデニム地上に置き、前記型紙の上から化学のりを塗布し、前記のりを十分に乾燥させた後デニム地１を脱色し、残ったのりを洗浄することにより、前記のり塗布部分に当該デニム地１の脱色前の色にて前記模様２を描出することを特徴とする。【選択図】　　　　図１
2004019056.tif 000002
【特許請求の範囲】
【請求項１】
適宜模様を表現した型紙をデニム地上に置き、前記型紙の上から化学のりを塗布し、前記のりを十分に乾燥させた後デニム地を脱色し、残ったのりを洗浄することにより、前記のり塗布部分に当該デニム地の脱色前の色にて前記模様を描出することを特徴とするデニム地への繊細模様描出方法。
【請求項２】
前記のりの塗布を、サイジング用ののりの付着したデニム地に対して行なう請求項１に記載のデニム地への繊細模様描出方法。
【発明の詳細な説明】
【０００１】
【発明の属する技術分野】
本発明は、デニム地への繊細模様描出方法、より詳細には、デニム地へ、小紋のような繊細な模様を、元のデニム地の色にて明瞭に描出するための方法に関するものである。
【０００２】
【従来の技術】
我が国には古くから染物の１つとして小紋がある。この小紋は、布地一面に細かい模様を幾何学的に染め出したものである。このような細かな模様を、デニム地に表現しようとする場合、プリントや捺染等の方法では、デニム地に凸凹があるため、にじみなく綺麗に仕上げることが困難である。
【０００３】
【発明が解決しようとする課題】
上述したように、従来のプリントや捺染等の方法によった場合は、小紋のような細かな模様をデニム地に鮮明に描出することが困難であった。そこで、本発明は、小紋のような細かい模様を、凸凹があって厚手のデニム地に、デニム地本来の風合いを保ちつつ鮮明に描出することを可能にした、デニム地への繊細模様描出方法を提供することを課題とする。
【０００４】
【課題を解決するための手段】
上記課題を解決するための本発明に係るデニム地への繊細模様描出方法は、適宜模様を表現した型紙をデニム地上に置き、前記型紙の上から化学のりを塗布し、前記のりを十分に乾燥させた後デニム地を脱色し、残ったのりを洗浄することにより、前記のり塗布部分に当該デニム地の脱色前の色にて前記模様を描出することを特徴とする。
【０００５】
好ましくは、前記のりの塗布を、サイジング用ののりが付いた状態のデニム地に対して行なうようにする。
【０００６】
【発明の実施の形態】
本発明の実施の形態について説明する。本発明に係るデニム地への繊細模様描出方法は、次の工程から成る。
（１）平らな板の上にデニム地を置く。
（２）デニム地の上に型紙を載せ、型紙の上から化学のりを塗布する。
（３）型紙を除き、化学のりが十分に乾くまで静置する。
（４）デニム地全体を脱色する。
（５）デニム地上に残った化学のりを洗浄する。
以下、各工程について詳述する。
【０００７】
（１）準備工程
デニム地を平らな板上に載置する。
ここで用いるデニム地は、図１に示すように、ジーパンのような製品に
縫製したものであってもよいし、縫製前の生地であってもよい。
【０００８】
一般に生地を染めるには、生地に付いているサイジング用ののりを予め取り除くことが必須と考えられているが、ここでは、それが付いたデニム地（一旦除去した後に生地固め用に再び付着させる場合を含む。）をそのまま用いることが好ましい。そのような方法によった場合は、作業に際して生地を平らな状態に保持することができ、以て、型紙を生地に
密着させることが容易となる。
【０００９】
（２）のり付け工程
デニム地上に載せる型紙は、粘性の高いのりに十分耐え得るシルクスクリーン材、フィルム材、柿渋含浸紙等の資材製で、小紋のように繊細な模様を打ち抜いたものである。この型紙の上からヘラで化学のりを塗布し、打抜き模様に対応する部分にのり付けする。ここで用いる化学のりは、乾燥させることによって漂白剤に対して不溶性となる市販の化学のり（ワックス系又はゴムのり等）を用いることができる。
【００１０】
上述したように、本発明の好ましい実施形態においては、サイジング用ののりの付いたデニム地をそのまま用いるが、その場合は、上記効果の外に、塗布する化学のりが浸透しやすくなるというメリットもある。
【００１１】
（３）乾燥工程
のり付け工程において塗布され、浸透した化学のりを、通例一晩かけて乾燥させる。かくして乾燥した化学のりは、漂白剤に対して不溶性となり、後記脱色工程において漂白剤に晒されても、それが塗布された部分は漂白剤をはじき、漂白されない。
【００１２】
（４）脱色工程
化学のりを十分に乾燥させたデニム地全体を、適宜漂白剤を用いて脱色洗いする。この脱色処理により、デニム地の化学のりの付いていない部分が脱色され、化学のりの付いている部分、即ち、型紙の打抜き模様部分に対応する部分は脱色されずに、元のデニム地の色がそのまま残り、その部分が模様として鮮明に浮き出る。
【００１３】
（５）のり洗浄工程
デニム地上に残った化学のりを洗い流す。
【００１４】
以上のような処理を施すことにより、型紙における小紋の如き繊細な模様２が、そのデニム地１の元の色にて浮かび上がってくる（図１、２参照）。このようにして描出された模様２は、デニム地１の元の色であるので、履きこむことにより一層風合いが増し、デニム地特有の色の変化を楽しむことができる。このような風合いの変化は、プリントや捺染においては全く見られないものである。
【００１５】
【発明の効果】
本発明は上述した通りであって、本発明に係る方法によれば、小紋のような細かい模様を、凸凹があって厚手のデニム地に、本来の風合いを生かしつつ、当該デニム地の元の色にて鮮明に描出することが可能であり、従来にない柄のデザインを楽しむことができる効果がある。
【図面の簡単な説明】
【図１】本発明に係る方法によってデザインしたデニムパンツの例を示す図である。
【図２】本発明に係る方法によってデニム地上に描出した小紋の例を示す図である。
【符号の説明】
１　　デニム地
２　　模様
【図１】
2004019056.tif 000003
【図２】
2004019056.tif 000004
(57)【要約】【課題】各種仕事やレジャーの時に着用する帽子に対して筆記具を着脱自在に取り付けるようにし、両手が常に使える状態で身の回りに筆記具を保持することができる帽子を提供する。【解決手段】面ファスナーで形成され、互いに係脱自在となる一対の係止具４、５の一方を、帽子１に設けたつば３の上面に取り付け、他方の係止具５が筆記具６を抜き差し自在に挿通する輪状の取り付け部材５ａに形成されている。【選択図】　図１
2004019064.tif 000002
【特許請求の範囲】
【請求項１】
互いに係脱自在となる一対の係止具を用い、一方の係止具を帽子の外面に取り付け、他方の係止具が筆記具の取り付け部材に形成されている帽子。
【請求項２】
上記一対の係止具が面ファスナーで形成され、一方の係止具をフラットな状態で帽子のつばの外面に取り付け、係止具の他方が筆記具を抜き差し自在に挿通する輪状の取り付け部材に形成されている請求項１に記載の帽子。
【発明の詳細な説明】
【０００１】
【発明の属する技術分野】
この発明は、外面に筆記具を着脱自在に取り付けることができるようにした帽子に関する。
【０００２】
【従来の技術】
各種仕事やレジャーの時に、職種やレジャーの種類によって帽子を着用することは広く一般に行なわれていると共に、各種仕事やレジャーにおいて、筆記具の使用が必要な場合が多々発生する。
【０００３】
上記仕事やレジャーに、筆記具を常時手で持っていると他の作業や動作の邪魔になるので、このような場合、使用後はどこかに収納したり置いて置くことになるが、再度使用するときに一々置いた場所まで取りに行くのは面倒であり、どうしても身の回りに保持しておくのが便利である。
【０００４】
【発明が解決しようとする課題】
通常筆記具を身の回りに保持する場合、胸のポケットに差すのが一般的であるが、ポケットが浅かったり、胸ポケットの無い衣類を着用しているときには、筆記具の保持が行なえないという不便がある。
【０００５】
そこで、この発明の課題は、各種仕事やレジャーの時に着用する帽子に着目し、帽子に対して筆記具を着脱自在に取り付けるよようにし、両手が常に使える状態で身の回りに筆記具を保持することができる帽子を提供することにある。
【０００６】
【課題を解決するための手段】
上記のような課題を解決するため、この発明は、互いに係脱自在となる一対の係止具を用い、一方の係止具を帽子の外面に取り付け、他方の係止具が筆記具の取り付け部材に形成されている構成を採用したものである。
【０００７】
上記一対の係止具が面ファスナーで形成され、一方の係止具をフラットな状態で帽子のつばの外面に取り付け、係止具の他方が筆記具を抜き差し自在に挿通する輪状の取り付け部材に形成されている構造とすることができる。
【０００８】
ボールペン等の筆記具を上記した取り付け部材に挿通し、この筆記具の端部に設けたクリップで取り付け部材に対して取り付け、この状態で帽子のつばに設けた一方の係止具に取り付け部材を係止すれば、帽子に対する筆記具の取り付けとなり、両手が常に使える状態で身の回りに筆記具を保持することができる。
【０００９】
また、筆記具を使用する場合は、取り付け部材を一方の係止具から引き剥がすことで、筆記具を帽子から取り外せばよい。
【００１０】
【発明の実施の形態】
以下、この発明の実施の形態を図示例と共に説明する。
【００１１】
図示の帽子１は、キャップ２の前部につば３を設けて形成され、この帽子１に対して、互いに係脱自在となる一対の係止具４、５を用い、一方の係止具４を帽子１のつば３の外面に取り付け、他方の係止具５が筆記具６を抜き差し自在に挿通する輪状の取り付け部材５ａとなっている。
【００１２】
上記一対の係止具４、５は面ファスナーで形成され、一方の係止具４は平面的に十分な面積を有し、フラットな状態で係止面が上向きになるよう帽子１のつば３の上面に縫着等の手段で取り付け、他方の係止具５は、帯状体を用い、この帯状体を係止面が外側になるよう、その両端を縫着により結合することで、筆記具６を抜き差し自在に挿通する輪状の取り付け部材５ａに形成されている。
【００１３】
図示の場合、一方の係止具４は、キャップ２からつば３の先端に達する範囲で、着用時右側となる部分に片寄った配置とし、利き腕が右利きの人に対応するものを示したが、この一方の係止具４は、つば３の左側となる部分に片寄った配置としたり、つば３の上側全面に取り付けたり、キャップ２の外面で所要の位置、例えば、側部の位置に取り付けるようにしてもよい。
【００１４】
なお、帽子１の形態は図示に限定されないと共に、一対の係止具４、５は、図示のような面ファスナー以外に、互いに吸着するゴム磁石を用いることができる。
【００１５】
この発明の帽子は、上記のような構成であり、各種仕事やレジャーの時に帽子１を着用すると共に、ボールペン、蛍光ペン、フエルトペン、シャープペンシル等の筆記具６を取り付け部材５ａに挿通し、筆記具６をこの筆記具６の端部に設けたクリップ７で取り付け部材５ａに対して取り付け、この状態で帽子１のつば３に設けた一方の係止具４に取り付け部材５ａを重ねて係止すれば、図１のように、帽子１に対して筆記具６を取り付けることができ、両手が常に使える状態になる。
【００１６】
また、筆記具６を使用するときは、取り付け部材５ａを一方の係止具４から引き剥がすことで、筆記具６を帽子１から取り外せばよい。
【００１７】
【発明の効果】
以上のように、この発明によると、帽子の外面に対して筆記具を着脱自在に取り付けるようにしたので、両手が常に使える状態で身の回りに筆記具を保持することができ、筆記具を帽子から取り外せば直ぐに使用できることになり、各種仕事やレジャーにおける筆記具の使用が極めて便利に行なえる。
【図面の簡単な説明】
【図１】この発明に係る帽子の筆記具を取り付けた状態を示す斜視図
【図２】この発明に係る帽子の分解斜視図
【符号の説明】
１　帽子
２　キャップ
３　つば
４　一方の係止具
５　他方の係止具
５ａ　取り付け部材
６　筆記具
７　クリップ
【図１】
2004019064.tif 000003
【図２】
2004019064.tif 000004
(57)【要約】【課題】夜間や曇天時などの一定の明るさが得られないときでも、柵柱間に架け渡されたチェーンの存在を視認しやすくして、車の進入を制止する発光部付き車止め柵柱を提供する。【解決手段】柵柱１１を構成する柵柱本体２０の上部に、光源を備えた発光部３０を内蔵する。発光部３０の先端にはレンズ３０１を設ける。この発光部３０の照射方向を、隣り合う柵柱間に架け渡したチェーン４０の方向に向け、柵柱本体２０側面の窓穴２０３からレンズ３０１を介して集中的にチェーン４０を照射する。【選択図】　図１
2004019093.tif 000002
【特許請求の範囲】
【請求項１】
掛止部又は引出窓からなるチェーン掛止手段を柵柱本体の側面に備え、隣り合う柵柱間にチェーンが架け渡される車止め柵柱において、
柵柱本体に発光部が内蔵され、この発光部の照射方向が柵柱間に架け渡されるチェーンに向けられていることを特徴とする発光部付き車止め柵柱。
【請求項２】
発光部の電源は化学式蓄電池又は太陽電池であることを特徴とする請求項１に記載の発光部付き車止め柵柱。
【発明の詳細な説明】
【０００１】
【発明の属する技術分野】
この発明は、チェーンを架け渡した状態で使用される車止め用の柵柱において、夜間のチェーンの視認性を高める発光部付き車止め柵柱に関する。
【０００２】
【従来の技術】
公共的な駐車場や公園等の施設には、車止め用の柵柱が設けられる。柵柱は、通常、地面に対して着脱自在又は収納自在に設けられ、隣り合う柵柱間には車止め用のチェーンが架け渡されて車両の進入を制止する。
【０００３】
このような柵柱とチェーンとからなる車止め手段に関しては、夜間における視認性を高めるために、柵柱の側面や頂部近傍に発光体を取り付けたものが知られている。特開２０００−２８５７０８号公報に開示された「発光源付きポール」などがその例である。
【０００４】
【発明が解決しようとする課題】
前記従来のような発光体付きの柵柱を設置した場合、柵柱自体の存在は視認しやすくなるが、柵柱間に架け渡されたチェーンの存在は依然としてわかりにくい。
【０００５】
そこで本発明は、柵柱に発光部品を組み込んで、チェーンの存在を視認しやすくした発光部付き車止め柵柱を提供することを解決課題とする。
【０００６】
【課題を解決するための手段】
前記の目的を達成するため、本発明は、掛止部又は引出窓からなるチェーン掛止手段を柵柱本体の側面に備え、隣り合う柵柱間にチェーンが架け渡される車止め柵柱において、柵柱本体に発光部が内蔵され、この発光部の照射方向が柵柱間に架け渡されるチェーンに向けられていることを特徴とする。この発明によれば、発光部が柵柱間のチェーンを照らし出すため、夜間や曇天時でのチェーンの視認性を高めることができる。
【０００７】
また、発光部の電源は化学式蓄電池又は太陽電池であることが好ましい。いずれの場合にも、柵柱外部の電源から配線を引き回す必要がなく、どのような場所にも柵柱を設置することができる。
【０００８】
【発明の実施の形態】
以下、本発明に係る発光部付き車止め柵柱の実施の形態について、図面を参照しつつ説明する。
【０００９】
図１及び図２は本発明の実施の形態を示し、図１は車止め柵柱の部分断面図、図２は車止め柵柱の外観を示す側面図である。
【００１０】
この車止め柵柱１１は、隣り合う柵柱１２との間に車止め用のチェーン４０が架け渡された状態で使用される。柵柱１１は、地盤上に立設される中空円筒状の柵柱本体２０と、この柵柱本体２０の上部に内蔵される発光部３０とを備えている。
【００１１】
柵柱本体２０は、側面に掛止部２０１又は引出窓２０２からなるチェーン掛止手段を備えている。例示の形態では、柵柱１１側の柵柱本体２０の内部にチェーン４０が収納され、チェーン４０を挿通させうる引出窓２０２が側面に設けられている。チェーン４０は、この引出窓２０２を経由して柵柱本体２０の内部から引き出されたり、柵柱本体２０の内部へ収納されたりする。チェーン４０の端末には、引出窓２０２に掛止されうる端末金具４０１が取り付けられて、チェーン４０が容易に引出し可能とされている。柵柱本体２０から引き出されたチェーン４０は、隣り合った柵柱１２の掛止部２０１に架け渡される。
【００１２】
発光部３０は、柵柱本体２０に内蔵されている。この発光部３０には、図示されない光源が組み込まれ、先端にレンズ３０１が備えられている。発光部３０は、引出窓２０２の上部に設けられた窓穴２０３から、このレンズ３０１を介して、柵柱１１，１２間に架け渡されたチェーン４０を照射する。これにより、発光部３０からの光は、柵柱１１，１２間のチェーン４０に集中して照射される。
【００１３】
チェーン４０には、鏡面に近い表面仕上げが施されていることが好ましい。これによると、発光部３０からチェーン４０に光が照射されたときに、光が反射してチェーン４０自体が発光しているかのように光って見える。チェーン４０の鏡面に光を反射する塗料を塗布しても、同様の効果が得られる。
【００１４】
発光部３０の光源の電源には、化学式蓄電池又は太陽電池が用いられる。化学式蓄電池の場合には、柵柱上部に電池収容部を設け、柵柱頂部の蓋を取り外して蓄電池を設置・交換する。太陽電池の場合には、柵柱頂部又はその近傍に太陽電池の受光部を設ける。
【００１５】
【発明の効果】
以上説明したように、本発明に係る発光部付き車止め柵柱は、柵柱本体に発光部が内蔵され、この発光部の照射方向が柵柱間に架け渡されるチェーンに向けられている。これにより、発光部が柵柱間のチェーンを照らし出して、夜間や曇天時においてもチェーンの存在を視認することができるようになる。
【００１６】
また、発光部の電源を化学式蓄電池又は太陽電池とした場合には、柵柱外部の電源から配線を引き回す必要がなく、どのような場所にも柵柱を設置することができる。
【図面の簡単な説明】
【図１】本発明に係る車止め柵柱の部分断面図である。
【図２】本発明に係る車止め柵柱の外観を示す側面図である。
【符号の説明】
１１，１２　　車止め柵柱
２０　　　　　柵柱本体
２０１　　　　掛止部
２０２　　　　引出窓
２０３　　　　窓穴
３０　　　　　発光部
３０１　　　　レンズ
４０　　　　　チェーン
４０１　　　　端末金具
【図１】
2004019093.tif 000003
【図２】
2004019093.tif 000004
(57)【要約】【課題】防水性、防寒性、揮水性等に優れる素材を用いて耐寒性、耐水性等を従来の救命胴衣と同等に確保しつつ、排水性のよい、落水などの際に行動がしやすくて救命性に優れた救命胴衣を提供する。【解決手段】救命胴衣１の浮力材４の下側に位置する裏地３の一部が水の通過を許すメッシュ素材で形成したメッシュ部７とっており、着用者が落水した際、襟元、袖口そのたすべての開口部分から水が救命胴衣１とその下に着ている衣服、衣服と人体との間に入り込んできても、メッシュ部７出て行きやすくなり、落水者の移動動作の抵抗になる程度が非常に小さくなる。【選択図】　　　　図１
2004019042.tif 000002
【特許請求の範囲】
【請求項１】
表地と裏地との間に浮力材を介在させてなる救命胴衣において、着用時に下端縁となる部位またはその近傍部位をなす上記裏地が水の通過を許すメッシュ素材からなることを特徴とする救命胴衣。
【請求項２】
表地と裏地との間に浮力材を介在させてなる救命胴衣において、着用時に下端縁となる部位またはその近傍部位をなす上記表地が水の通過を許すメッシュ素材からなることを特徴とする救命胴衣。
【請求項３】
表地と裏地との間に浮力材を介在させてなる救命胴衣において、着用時に下端縁となる部位またはその近傍部位をなす上記表地及び上記裏地が水の通過を許すメッシュ素材からなることを特徴とする救命胴衣。
【発明の詳細な説明】
【０００１】
【発明の属する技術分野】
本発明は、水上、海上での作業時等に着用する救命胴衣に関する。
【０００２】
【従来の技術及び発明が解決しようとする課題】
従来より救命胴衣においては、防水性、防寒性のみならず落水時の泳ぎ易さ等が求められている。すなわち、防水性、防寒性のみを考慮すると、通風性の悪い生地を使用してできるだけ着用者の体温を衣服内に留めようとするが、そのような構造の救命胴衣では、落水時に水が救命胴衣とその下の着衣あるいは人体との間に留まってしまい、泳ぎが上手な者でもまともに泳ぐことができず、溺れて死亡してしまうことがあるためである。もちろん通風性のよい生地を使用すれば、このような問題は解決できるが、逆に防水性、防寒性については非常に性能が劣ったものになってしまう。
【０００３】
本発明は、上記従来の問題点にかんがみてなしたもので、防水性、防寒性だけでなく、排水性にも優れる救命胴衣を提供することを目的とする。
【０００４】
【課題を解決するための手段】
本発明の救命胴衣のうち請求項１に係るものは、上記目的を達成するために、表地と裏地との間に浮力材を介在させてなる救命胴衣において、着用時に下端縁となる部位またはその近傍部位をなす上記裏地が水の通過を許すメッシュ素材からなることを特徴とする。
【０００５】
同請求項２に係るものは、上記目的を達成するために、表地と裏地との間に浮力材を介在させてなる救命胴衣において、着用時に下端縁となる部位またはその近傍部位をなす上記表地が水の通過を許すメッシュ素材からなることを特徴とする。
【０００６】
同請求項３に係るものは、上記目的を達成するために、表地と裏地との間に浮力材を介在させてなる救命胴衣において、着用時に下端縁となる部位またはその近傍部位をなす上記表地及び上記裏地が水の通過を許すメッシュ素材からなることを特徴とする。
【０００７】
【発明の実施の形態】
以下本発明の実施の形態を図面を参照して説明する。
図１（Ａ）は本発明に係る救命胴衣の一実施形態の正面図である。図示の実施形態の救命胴衣１は、例えばパイロット（水先案内人）等が着用するのに適したジャケットタイプのもので、防水性、揮水性に優れた合成繊維などからなる表地２と裏地３の間に、軽量なＰＶＣ等からなる浮力材４を挟み、浮力だけでなく防寒性をも兼ね備える構成としたもので、複数のポケット５や、フード（図示せず）を出し入れ可能な襟部６なども有している。
【０００８】
図１（Ｂ）は、図１（Ａ）に示した救命胴衣における要部を示す拡大断面部分図である。図示の部分は、救命胴衣１の下縁部分を拡大して示すもので、浮力材４の下側に位置する裏地３の下縁部が水の通過を許すメッシュ素材で形成してある（この部分をメッシュ部７と称する）。
【０００９】
すなわち、この実施形態の救命胴衣１を着用した船員やパイロット等が、例えば作業中やタグボートと操船対象となる本船との間での移乗等の際等に落水したとすると、海水が襟元、袖口そのたすべての開口部分から救命胴衣１とその下に着ている衣服、衣服と人体との間に入り込んでくる。このようなとき、落水者が泳げば救命胴衣１の下縁部分に位置するメッシュ部７は移動方向で後方側になり、落水者の移動に連れて海水はメッシュ部７から外へ出てゆく。もちろん落水者が海中に留まっていれば、次から次へと海水が浸入してくるが、移動するのにつれて出て行くので、泳いだりする動作の抵抗になる程度が小さくなる。また落水者が自力で船や岸に登ろうとしたり、助け上げられたりするときは、メッシュ部７は当然下側に位置するので、入り込んでいた海水は自重でメッシュ部７から排出され、よじ登ったり、助け上げたりする動作の抵抗になる程度が非常に小さくなる。図１（Ｂ）中の矢印は水の排水方向、形態を示す。
【００１０】
図２は本発明に係る救命胴衣の他の実施形態の正面側から見た内面図である。図示の実施形態の救命胴衣１０は、いわゆるベストタイプのもので、袖が無い点などを除いて先の実施形態の救命胴衣１と基本的な構造は同様であり、浮力材４の下側に位置する裏地３の一部がメッシュ部７となっている。
【００１１】
なお、上述してきた実施形態においては、メッシュ素材を裏地にのみ用いているが、裏地だけでなく表地にも同様の部位でメッシュ部を形成してもよく、あるいは表時のみにメッシュ部を設けてもよい。また例えば図３に示すように救命胴衣としての下縁を表地と裏地の間にわたるようにメッシュ部７を設けてもよい。
【００１２】
さらに本発明は、図示の実施形態に示したタイプの救命胴衣にその適用範囲が限定されるものではなく、種々のタイプの救命胴衣に対して適用可能であり、また救命胴衣と称されていなくても、水上、海上、水辺、海辺で着用されるいろいろな種類の衣服をもその適用範囲に含む。
【００１３】
【発明の効果】
本発明に係る救命胴衣は、以上説明してきたように、表地と裏地との間に浮力材を介在させてなる救命胴衣において、着用時に下端縁となる部位またはその近傍部位をなす裏地または表地、あるいは裏地と表地の双方に、水の通過を許すメッシュ素材を用いて構成したので、メッシュ素材を用いていない部分については防水性、防寒性、揮水性等に優れる素材を用いて耐寒性、耐水性等を従来の救命胴衣と同等に確保しつつ、排水性のよいものとすることができ、落水などの際に行動がしやすく、救命性に優れたものになるという効果がある。
【図面の簡単な説明】
【図１】本発明に係る救命胴衣の一実施形態の正面図（Ａ）と、その要部を示す拡大断面部分図（Ｂ）である。
【図２】本発明に係る救命胴衣の他の実施形態の正面側から見た内面図である。
【図３】本発明に係る救命胴衣の実施形態におけるメッシュ部の変形例を示す拡大断面部分図である。
【符号の説明】
１、１０　救命胴衣
２　表地
３　裏地
４　浮力材
５　ポケット
６　襟部
７　メッシュ部
【図１】
2004019042.tif 000003
【図２】
2004019042.tif 000004
【図３】
2004019042.tif 000005
(57)【要約】【課題】上着のずり上がりやせり上がりを簡単な構造で常時防止できる衣服を提供する。【解決手段】上着１の左右両側の脇部４の内側に吊ベルト５を取り付け、これをズボン２のベルト３に掛け回して着用可能とする。吊ベルト５は、帯状の引っ張りに強く柔軟なあるいは可撓性のある布等の素材から形成し、一端を上着１の内側に固着し、他端を自由端とする。固着端部の表側と自由端部の一面側にベルクロファスナ６ａ、６ｂを取り付け、これらを重ね合わせることによりループ状にできる。上着１とズボン２を着用して活動する際に、必要に応じてベルクロファスナ６ａ、６ｂに合わせて吊りベルト５をループとし、上着１のずり上がりが生じないようにする。【選択図】　　　　図１
2004019043.tif 000002
【特許請求の範囲】
【請求項１】
上着の内側に、該上着とズボンとを連結する帯状または紐状の連結ベルトを取り付けてなり、該連結部材が、一端を上記上着の内側に固着して他端を自由端とし、上記一端の固着部あるいはその近傍に留め具の一方を設け、上記自由端側に上記留め具の他方を設け、上記ズボンが、上記連結ベルトを掛け回す部材を備えることを特徴とする衣服。
【請求項２】
請求項１の衣服において、上記連結ベルトを掛け回す部材がズボンのベルトであることを特徴とする衣服。
【発明の詳細な説明】
【０００１】
【発明の属する技術分野】
本発明は、上着がずり上がったりせり上がったりし難い衣服に関する。
【０００２】
【従来の技術】
従来の衣服では、上着を構成する部分とズボンを構成する部分は連結されていないため、服を来ている人の動作で上着がずり上がったりせり上がったりすることがある。一般的な生活範囲では、そのような事態が発生しても上着を直せばよいだけであるが、例えば救命作業に従事する際に着用するような衣服等のように、時間を無駄にしたくない作業に従事する際に着用するもの等では、そのような修正動作、作業が生じるようなことを極力防止する必要がある。そのため、このような衣服では、上着の胴部分にもベルトを設けて締めつけることができるようにしたり、上着とズボンを胴の部分で結合させたいわゆるつなぎ服を着用したり、サスペンダーを用いた吊りズボンとしたりすることが多かった。
【０００３】
【発明が解決しようとする課題】
ところが、上着の胴部分をベルトで締めると、ベルトが外側に露出し、突出部分が機械などに引っ掛かって事故の原因になったりすることがある。またつなぎ服は、衣服内の空気の動きが制限されるため、着用中に衣服内が蒸れて着心地が悪化することがある。さらにサスペンダーは、肩が凝るなどの理由で嫌う人が多い。
【０００４】
本発明は、このような従来の問題を解消するためになしたもので、上着のずり上がりやせり上がりを簡単な構造で常時防止できる衣服を提供することを目的とする。
【０００５】
【課題を解決するための手段】
本発明の衣服のうち請求項１に係るものは、上記目的を達成するために、上着の内側に、該上着とズボンとを連結する帯状または紐状の連結ベルトを取り付けてなり、該連結部材が、一端を上記上着の内側に固着して他端を自由端とし、上記一端の固着部あるいはその近傍に留め具の一方を設け、上記自由端側に上記留め具の他方を設け、上記ズボンが、上記連結ベルトを掛け回す部材を備えることを特徴とする。
【０００６】
同請求項２に係るものは、上記目的を達成するために、請求項１の衣服において、上記連結ベルトを掛け回す部材がズボンのベルトであることを特徴とする。
【０００７】
【発明の実施の形態】
以下、本発明の実施の形態を図面を参照して説明する。　図１は、本発明に係る衣服の一実施形態を示す正面部分断面図（Ａ）と上着の正面図（Ｂ）、図２は上着の正面拡大図、図３は本発明に係る衣服の一実施形態を着用した人を示す概念的側面図である。
【０００８】
本実施形態の衣服は、通常の衣服と同様に上着１とズボン２からなり、ズボン２の着用にはベルト３を用いるが、図示のように、上着１の左右両側の脇部４の内側に吊ベルト５が取り付けてあり、これをズボン２のベルト３に掛け回して着用可能になっている。
【０００９】
吊ベルト５は、帯状の、好ましくは引っ張りに強く柔軟なあるいは可撓性のある布等の素材から形成し、一端を上着１の内側に縫い付ける等して固着し、他端を自由端としてある。また固着した端部の表側と自由端とした端部の一面側にベルクロファスナ６ａ、６ｂを取り付け、これらを重ね合わせることにより固着端と自由端とを合わせてループ状にできるようになっている。
【００１０】
そのため、上着１とズボン２を着用して活動する際に特に問題がなければそのまま着用し、上着１がずり上がったりしては困るような場合等には、必要に応じて吊ベルト５をズボン２のベルト３の表側の下から裏側の上に向けて通し、自由端のベルクロファスナ６ｂを上着１のベルクロファスナ６ａに合わせて吊りベルト５をループとし、上着１のずり上がりが生じないようにする。もちろん吊ベルト５がねじれても気にならないようであれば、ベルト３への掛けまわし方は上述の場合とは逆であってもよい。
【００１１】
吊りベルト５の長さは、自由端をたらした状態で上着１の裾から下にでないようにすることが外観上からも、また外部の器物に引っ掛けないようにすることからも好ましい。
【００１２】
なお、吊りベルト５の上着１への固定には、もちろん縫い付けだけでなく、接着、ボタン等の種々の留め具を用いることができる。また吊りベルト５をループ状にするために固定端と自由端を重ね合わせて固定する手段としては、着脱が可能であれば、ベルクロファスナだけでなく、ボタン等種々の留め具、開閉具を用いることができる。
【００１３】
またもちろん、吊ベルトとしては紐状のものでもよく、その場合には上着１にボタンを縫い付けておき、吊りベルトの両端にボタンへ掛けるためのループを形成するなどすればよい。
【００１４】
【発明の効果】
本発明に係る衣服は、以上説明してきたように、上着の内側に上着とズボンとを連結する帯状または紐状の連結ベルトを取り付け、連結部材の一端を上着の内側に固着して他端を自由端とし、一端を固着した部位あるいはその近傍に留め具の一方を設け、自由端側に固定側の留め具の他方を設け、ズボンに連結ベルトを掛け回す部材を備える構成としたので、着用者の行動がどのようなものであってもほとんどの場合に上着のずり上がり、せり上がりを防止できるという効果がある。
【図面の簡単な説明】
【図１】本発明に係る衣服の一実施形態を示す正面部分断面図（Ａ）と上着の正面図（Ｂ）である。
【図２】同上着の正面拡大図である。
【図３】本発明に係る衣服の一実施形態を着用した人を示す概念的側面図である。
【符号の説明】
１　上着
２　ズボン
３　ベルト
４　上着の脇部
５　吊ベルト
６ａ、６ｂ　ベルクロファスナ
【図１】
2004019043.tif 000003
【図２】
2004019043.tif 000004
【図３】
2004019043.tif 000005
(57)【要約】【課題】入浴時に被ることにより、血行の促進と発汗を効率的に増強させ、毛穴に溜まった老廃物を落としやすくして、サウナ効果やエステ効果を得ることのできる帽子の提供を目的とするものである。【解決手段】本発明の入浴時に被る帽子においては、鍔を設け、かつ、鍔先周辺部から垂れ幕を垂らす。また、上記入浴用帽子において、鍔先周辺部に設ける垂れ幕を透明の合成樹脂製シートで形成する。また、上記各入浴用帽子において、帽子をフリーサイズ化する。【選択図】図１
2004019085.tif 000002
【特許請求の範囲】
【請求項１】
入浴時に被る帽子において、鍔（１）を設けた帽子（２）であって、かつ、鍔先周辺部（３）から垂れ幕（４）を垂らしたことを特徴とする入浴用帽子。
【請求項２】
垂れ幕（４）が透明の合成樹脂製シート（５）で形成された請求項１記載の入浴用帽子。
【請求項３】
帽子がフリーサイズ化（６）されたものである請求項１又は２記載の入浴用帽子。
【発明の詳細な説明】
【０００１】
【発明の属する技術分野】
本発明は、入浴時に美容を目的として被る帽子で、鍔を付け、かつ、垂れ幕を垂らした帽子に関するものである。
【０００２】
【従来の技術】
入浴時に被る帽子に関する従来技術としては、登録実用新案第３０７７３８３号公報「タオルバスキャップ」がある。
シャンプーキャップをタオル地で頭巾状にするもので、頭髪の乾きを促進させることを課題としている。
また、美容効果をうたう帽子に関する従来技術としては、特開平９−２１７２１９号公報「頭の良くなる帽子」がある。
遠赤外線放射綿などを用い、美容にも効果を発揮するというもので、頭の働きを良くすることができる防止の提供を課題としている。
【０００３】
【発明が解決しようとする課題】
本発明の入浴用帽子は、入浴時に美容を目的として被る帽子で、鍔を設け、かつ、鍔先周辺部から垂れ幕を垂らしたことを特徴とするものである。
入浴時に被ることにより、血行の促進と発汗を効率的に増強させ、毛穴に溜まった老廃物を落としやすくして、サウナ効果やエステ効果を得ることのできる帽子の提供を目的とするものである。
【０００４】
【課題を解決するための手段】
上記課題を解決するため、本発明の入浴時に被る帽子においては、鍔を設け、かつ、鍔先周辺部から垂れ幕を垂らす。
【０００５】
また、上記入浴用帽子において、鍔先周辺部から垂らす垂れ幕を透明の合成樹脂製シートで形成する。
【０００６】
また、上記各入浴用帽子において、帽子をフリーサイズ化する。
【０００７】
【発明の実施の形態】
本発明の入浴用帽子は、帽子に鍔を設け、かつ、鍔先周辺部から垂れ幕を垂らしたものである。
なお、鍔先周辺部とは、鍔の先端部及びその周辺部をいい、垂れ幕の垂らし方は、逢着や接着、融着などにより鍔先周辺部に取り付けて垂らす方法のほか、垂れ幕で鍔先を被覆する形で、鍔先から垂らす方法を含むものである。
なお、従来の入浴用帽子であるバスキャップやシャンプーキャップは、鍔を設けないものが一般的である。
また、本発明において、帽子に鍔を設けるのは、垂れ幕による息苦しさや圧迫感をなくす目的と、窒息などの不測の事故を避ける目的がある。
鍔の幅は１０〜３０ｃｍ程度の幅を設けることが望ましい。
また、鍔は帽子の全周に設けることが望ましい。
垂れ幕は、１０〜３０ｃｍ程度の長さのものを垂らすことが望ましい。
垂れ幕も帽子の全周から垂らすことが望ましい。この場合１枚で全周を囲むようにして垂らす形態と複数枚で全周を囲むようにして垂らす形態がある。
垂れ幕には、フリルのようにヒダを設けることも可能である。
垂れ幕を透明の合成樹脂製シートで形成するのは、透明のビニールシートなどを用いることにより視界を遮らないようにする目的がある。
帽子をフリーサイズ化するのは、共用化を図る目的がある。
帽子をフリーサイズ化する方法は、例えば、帽子後部に半円状の切り欠き部を設け、その切り欠き部をゴム紐などで繋ぐ方法がある。半円状の切り欠き部はスリットや切り込みに変えることが可能であり、帽子の後部とするのは、体裁上の観点からである。
【０００８】
【実施例】
以下実施例について図面を参照して説明する。
図１は、入浴用帽子の実施例を示す斜視図である。
帽子２の全周に２０ｃｍの幅の鍔１を設け、鍔先周辺部３としての鍔の先端部から２０ｃｍの長さの垂れ幕４が垂らされている。
帽子２は鍔１を含めビニールシートで作られている。
図では、鍔先周辺部３である鍔の先端部にギザギザの模様が付けられている。
図１では、請求項２の構成を取り入れ、垂れ幕４は透明の合成樹脂シート５で作られていて、実施例では透明のビニールシートが用いられている。
図では、縦のラインがデザインとして付けられている。
また、図１では、請求項３の構成を取り入れ、帽子をフリーサイズ化６するため、帽子の後部に垂れ幕端部に至る切り込みＡが設けられ、その切り込みＡには、開口縁部Ｃの個所に幅広のゴム紐Ｂが取り付けられている。
【０００９】
【発明の効果】
本発明の入浴用帽子は、鍔を設け、鍔先周辺部から垂れ幕を垂らす構成としたことにより、入浴時に被ると湯気が垂れ幕内に閉じ込められ、血行の促進と発汗を効率的に増強させることができ、毛穴に溜まった老廃物を落としやすくして、サウナ効果やエステ効果を得ることができる。
この効果は、帽子を被ることにより得られるものであって、顔よりも頭皮に顕著に表れるので、頑固な頭皮の脂汚れも取ることができるので、ヘアエステとしても有効である。
また、垂れ幕を直接付けず、鍔を設けて鍔先周辺部から垂らす構成としたことにより、垂れ幕による息苦しさや圧迫感がなく、窒息などの不測の事故を避けることができる。
垂れ幕を透明の合成樹脂製シートで形成する構成としたことにより、視界を遮らないという効果が生じる。
また、垂れ幕を透明の合成樹脂製シートで形成する構成とすることにより、入浴時に被ると湯気が垂れ幕内に閉じ込められ、その湯気がシート上に水滴となる状況を眼前に目視できるので、シート上の水滴の状況を、血行の促進程度や発汗程度を計るバロメーターとして利用できる。
また、シート上の水滴の状況を、血行の促進程度や発汗程度を計るバロメーターとして利用することにより、サウナ効果やエステ効果を効果的に得ることができ、過度の使用を防止し、使用過度に因る不測の事故を防止することができる。
また、フリーサイズとなる構成にしたことにより、家族間での共用化が計れると共に、タオルを頭に巻いた状態でも被れるので、頭や頭髪を蒸れないようにすることができ、必要のない洗髪を防止できる。
【図面の簡単な説明】
【図１】図１は、入浴用帽子を示す斜視図である。
【符号の説明】
１　　鍔
２　　帽子
３　　鍔先周辺部
４　　垂れ幕
５　　透明の合成樹脂製シート
６　　フリーサイズ化
Ａ　　切り込み
Ｂ　　ゴム紐
Ｃ　　開口縁部
【図１】
2004019085.tif 000003
(57)【要約】【課題】フッ素系グリースを封止した軸受に、安価な鉱油系防錆剤を用いつつ、潤滑不良を招来しないように塗布し、軸受の防錆処理コストの低減を図る。【解決手段】フッ素系グリースを封止してなる軸受への鉱油系防錆剤の塗布方法であって、前記鉱油系防錆剤を内輪内径面及び外輪外径面のみに塗布し、他の部位には塗布しないことを特徴とする軸受への防錆剤の塗布方法。【選択図】　　　図１
2004019803.tif 000002
【特許請求の範囲】
【請求項１】
フッ素系グリースを封止してなる軸受への鉱油系防錆剤の塗布方法であって、前記鉱油系防錆剤を内輪内径面及び外輪外径面のみに塗布し、他の部位には塗布しないことを特徴とする軸受への防錆剤の塗布方法。
【発明の詳細な説明】
【０００１】
【発明の属する技術分野】
本発明は、フッ素系グリースを封止してなる軸受への鉱油系防錆剤の塗布方法に関する。
【０００２】
【従来の技術】
図１は転がり軸受の一例を示す断面図であるが、一般に、転がり軸受には、加工中における錆の発生を防止する目的で、軸受の内部、具体的には内輪１の内周面１ａ、外輪２の内周面２ａ及びシールド板３の内面３ａに防錆剤が塗布される。また、使用までの間における錆の発生を防止する目的で、軸受の外表面、具体的には内輪１の内径面１ｂ、内輪１の側面１ｃ、外輪２の外径面２ｂ、外輪２の側面２ｃ及びシールド板３の外面３ｂに同様の防錆剤が塗布される。尚、図中の符号４は転動体、符号５は保持器である。
【０００３】
【発明が解決しようとする課題】
従来、防錆剤は、低コストであることから、鉱油あるいは鉱油に有機スルホン酸塩や脂肪酸類、リン酸エステル、亜硝酸塩等の防錆剤を配合した鉱油系防錆剤が一般的となっている。しかし、フッ素系グリースを封入した転がり軸受では、鉱油とフッ素系グリースとの親和性が低いことから、鉱油系防錆剤が塗布された内輪内周面１ａや外輪内周面２ａにフッ素系グリースが付着せず、その結果、潤滑不良により内輪軌道面及び外輪軌道面と転動体４とが金属接触して、早期に焼付きや剥離、異常音発生等を起こして軸受の機能を損なうようになる。
【０００４】
この対策として、フッ素系グリースを封入する軸受には、フッ素系グリースと親和性の高い防錆剤を塗布することが考えられる。しかし、これらのフッ素系グリース用防錆剤は、鉱油系防錆剤に比べてかなり高価であり、軸受の製造コストを高めることとなる。
【０００５】
本発明はこのような状況に鑑みてなされたものであり、フッ素系グリースを封止した軸受に、安価な鉱油系防錆剤を用いつつ、潤滑不良を招来しないように塗布し、軸受の防錆処理コストの低減を図ることを目的とする。
【０００６】
【課題を解決するための手段】
上記の目的を達成するために、本発明は、フッ素系グリースを封止してなる軸受への鉱油系防錆剤の塗布方法であって、前記鉱油系防錆剤を内輪内径面及び外輪外径面のみに塗布し、他の部位には塗布しないことを特徴とする軸受への防錆剤の塗布方法を提供する。
【０００７】
【発明の実施の形態】
以下、本発明に関して詳細に説明する。
【０００８】
再び図１を参照して説明すると、本発明では、内輪内径面１ｂと外輪外径面２ｂにのみ、鉱油系防錆剤を塗布する。軸受内部は完全に脱脂・乾燥し、グリース封入後は外部防錆油を塗布しない。そのため、鉱油系防錆剤が軸受の内部に存在せず、またシールド板３と内輪１との隙間から内部に流入することも無いことから、フッ素系グリースを封入しても、このフッ素系グリースと鉱油系防錆剤とが接触することはない。
【０００９】
そのため、フッ素系グリースは、内輪軌道面及び外輪軌道面と転動体４との間に容易に流入でき、潤滑不良を起こすことがなくなる。
【００１０】
尚、本発明において、鉱油系防錆剤の塗布方法には制限がなく、刷毛塗りやスプレー塗布等を採用することができる。また、鉱油系防錆剤の塗布量（膜厚）にも制限は無い。更に、鉱油系防錆剤及びフッ素系グリースの種類にも制限がなく、それぞれ従来から軸受に使用されている鉱油系防錆剤、フッ素系グリースを用いることができる。
【００１１】
【発明の効果】
以上説明したように、本発明によれば、鉱油系防錆剤をフッ素系グリースと接触しない内輪内径面及び外輪外径面のみに塗布したことにより、フッ素系グリースを封入した軸受に対して、潤滑不良を招来することなく、安価に防錆処理を施すことが可能になる。
【図面の簡単な説明】
【図１】転がり軸受の一例を示す断面図である。
【符号の説明】
１　内輪
１ａ　内輪内周面
１ｂ　内輪内径面
１ｃ　内輪側面
２　外輪
２ａ　外輪内周面
２ｂ　外輪外径面
２ｃ　外輪側面
３　シールド板
３ａ　シールド板内面
３ｂ　シールド板外面
４　転動体
５　保持器
【図１】
2004019803.tif 000003
(57)【要約】【課題】強度を落とすことなく、組み立て容易で軽量とした化粧用溝蓋を提供する。【構成】化粧用溝蓋（１）の舗装材料を充填する箱体（２）の底板（３）を、従来製品より薄い鋼板で構成すると共に、底板（３）面に懸駕方向に凸条（７）、（７）…を並列に隆設しリブとする。【選択図】　　　図１
2004019416.tif 000002
【特許請求の範囲】
【請求項１】
上面が開口する有底の箱体（２）と、溝などの懸架部に懸架する側の箱体（２）の側板（８）、（８）の外側に排水用のスリットを形成するよう条片（５）、（５）…を側板（８）、（８）に平行するように設けた鋼板製の化粧用溝蓋（１）において、箱体（２）の底板（３）に薄い鋼板を用い溝の懸駕方向に平行するように凸条（７）、（７）…をリブ（力骨）として複数本並列に設けたことを特徴とする化粧用溝蓋。
【発明の詳細な説明】
【０００１】
【発明の属する技術分野】
本発明は、公園、道路、建物などに付属して設けられる排水溝、集水桝などの溝蓋として使用され、周囲の舗装材料を充填することができる上面が開口した箱体を有し、両側に排水用のスリットを設けた化粧用溝蓋に関するものである。
【０００２】
【従来の技術】
従来より、公園、道路、建物などに付属して設けられる排水溝、集水桝などには、溝蓋としてグレーチングが一般に使用されてきたが、排水用のスリットを両側に設け、周囲の舗装材料を充填することができる上面が全面が開口した箱体を備えた鋳鉄などで成型された化粧用溝蓋が使用されてきた。なお、化粧用溝蓋は、方形の箱体の両側の外側に設けたスリット部が溝の懸駕部に懸駕するよう構成される。
【０００３】
近時、美粧化と取扱いの容易さが要求されるようになり、鋼板を用い組立てた化粧用溝蓋が使用されるようになり、金属光沢のある美粧なステンレス鋼板を使用し組立てた製品に関して、本願出願人も実用新案登録第２５４８１０号として提案している。
【０００４】
【発明が解決しようとする課題】
従来鋳鉄で鋳造法により一体成型せるものを、ステンレス鋼板などにより組み立て成型することにより、軽量で美粧な製品を安価に提供できるようになってきたが、更に軽量で取り扱い運搬容易で、かつ安価な製品を要求されるようになってきた。
本発明は、従来品と強度など劣ることなく軽量で取り扱い運搬容易で、かつ安価な製品を提供するを目的とする。
【０００５】
【課題を解決するための手段】
上記の問題点を解決するために、本発明は、周囲の舗装材料と同じ舗装材料を充填する箱体の底板に、薄い鋼板を用いると共に溝の懸駕方向に等間隔に凸条を複数本隆設せしめることによりその目的を達成せるものである。
【０００６】
【発明の実施の形態】
本発明は、上面が開口する箱体の底板に薄い鋼板を用い、溝の懸駕方向（両側に設けたスリット方向）に間隔をおいて複数本の凸条を並列するよう隆設せしめる。
【０００７】
底板に形成する凸条は、鋼板の曲げ強さを考慮し、間隔本数などを決めるが、舗装材料が充填され、施工されたときの所要の強度が得られるようにする。なお、凸条は裏面側に隆設するも、また、２本又は複数本あて等間隔に形成するも差し支えない。
【０００８】
方形の底板は、両側又は４辺に短冊状の鋼板を側板として溶接されるが、軽量化のため、スリット形成側の両辺を上方に折り曲げ側板を形成させ箱体とすとよく、懸駕方向の曲げ強度を増すため、懸駕方向に取り付ける側板側の底板の両側辺も上方に折り曲げ側板に溶接すると良い。
【０００９】
箱体の両外側に設けるスリットを形成する条片は、ブランケットにより等間隔に保持されるが、Ｌ字形の下辺の上端面が箱体の底面に溶接されるので、下辺をＵ字形に折り曲げ溝型とし、溝の両側上端面が箱体の底面に接し溶接されるようにすると良い。
【実施例】
【００１０】
実施例について図面を参照して説明すると、図１において、化粧用溝蓋（１）の箱体（２）の底板（３）は、従来製品は約３．０ｍｍの鋼板を使用してきたが、それより薄い０．８ｍｍ以下の鋼板を用い組み立てる。底板（３）の鋼板には溝などに懸駕する方向に平行に、複数本の凸条（７）、（７）…を力骨（リブ）として、間隔をおいてプレスなどで隆設する。
【００１１】
底板（３）の鋼板は、図２に示すごとく懸駕側を上方に折り曲げ側板（８）、（８）を形成するようにし、更に懸駕方向の両側を上方に折り曲げ図１の側板（４）、（４）に溶接するように構成する。図２の実施例においては、底板（３）面に形成する凸条（７）、（７）…は懸駕方向に不連続に、幅方向に略等間隔に隆設せるものである。
【００１２】
ブランケット（６）は、箱体（２）の両側板（８）、（８）の外側に形成する排水用のスリットを形成する条片（５）、（５）を保持し、溝の懸駕部に懸駕し化粧用溝蓋（１）を支えるが、図３に示す如く、Ｌ字形のブランケットの底辺側をＵ字形に折り曲げ下部を溝形とせるもので、高さを同じにした溝の両側上端面（１１）、（１１）が箱体（２）の底面（底板（３）の裏面）に接し溶接などで固定する。
【００１３】
【発明の効果】
本発明は、以上説明したような形態で実施され、以下に記載されるような効果を奏する。
【００１４】
化粧用溝蓋の底板を従来製品より薄い鋼板を使用するも、凸条を懸駕方向に並列に設けリブを形成してあるので、従来製品同様に使用でき、軽量となり取り扱い運搬に便となり、安価に提供できる。
【００１５】
また、スリット側の箱体の側板を薄くした底板の両辺を上方に折り曲げ側板とすることにより、軽量化とコストを下げることができる。
【００１６】
なお、溝蓋の寸法、形状の変化に対しては、凸条の本数を増し、また両側辺を上方に折り曲げるなどして強度を増し、対応することができる。
【００１７】
また、ブランケットを従来の板状のＬ字形より、下辺をＵ字形に折り曲げ溝型としたので、組み立てが容易になり、底板を溝の両側上端面で支えるので、底板の補強ともなるものである。
【図面の簡単な説明】
【図１】本発明の実施例の斜視図である。
【図２】本発明の箱体部の別の実施例の斜視図である。
【図３】本発明のブランケットの斜視図である。
【符号の説明】
１　　化粧用溝蓋
２　　箱体
３　　底板
４　　側板
５　　条片
６　　ブランケット
７　　凸条
８　　側板
９　　折り曲げ片
１０　　条片保持用の溝
１１　　溝の両側上端面
【図１】
2004019416.tif 000003
【図２】
2004019416.tif 000004
【図３】
2004019416.tif 000005